(57)【要約】【課題】圃場を部分的に耕起して播種や施肥を行う播種機における耕耘装置の耕耘爪は、ロータリ耕耘装置等で使用されているナタ爪と略同一な形状のものを採用すると共に、部分耕起を行う条毎に耕耘爪の左右両側及び上方を覆うカバーを設けているが、当該カバーの内壁に付着した土の抵抗による動力損失、カバーの変形、及び耕耘爪の早期磨耗が発生するといった不具合を解消する。【解決手段】耕耘軸３５への取り付け基部から連続的に形成される縦刃部３４ａの先端を一側に折り曲げ形成した横刃部３４ｂの折り曲げ開始線Ｌ１と、該折り曲げ開始線Ｌ１と耕耘爪３４の掻き取り面先端部Ｓとの交点Ｐ２と耕耘軸３５の軸心Ｐを結ぶ線Ｌ２との交差角θ１が８５度以上１００度以下となるように耕耘爪３４を形成した。【選択図】図３
2006174725.tif 000002
【特許請求の範囲】
【請求項１】
耕耘軸（３５）に放射状に取り付けられると共に、取り付け基部から連続的に形成される縦刃部（３４ａ）と、該縦刃部（３４ａ）の先端を一側に折り曲げ形成した横刃部（３４ｂ）を備える耕耘爪（３４）において、前記横刃部（３４ｂ）の折り曲げ開始線（Ｌ１）と、該折り曲げ開始線（Ｌ１）と耕耘爪（３４）の掻き取り面先端部（Ｓ）との交点（Ｐ２）と耕耘軸（３５）の軸心（Ｐ）を結ぶ線（Ｌ２）との交差角（θ１）が８５度以上１００度以下となるように、当該耕耘爪（３４）を形成したことを特徴とする耕耘爪。
【請求項２】
前記耕耘爪（３４）を乾田不耕起直播機（１０）に用いることを特徴とする請求項１に記載の耕耘爪。
【発明の詳細な説明】
【技術分野】
【０００１】
本発明は、不耕起状態の圃場を部分的に耕起して播種や施肥を行う播種機等における耕耘装置の耕耘爪に関する。
【背景技術】
【０００２】
従来、不耕起状態の圃場を部分的に耕耘して播種や施肥を行う播種機は、トラクタ等の機体後部に備える昇降リンク機構を介して昇降可能に連結されると共に、当該播種機は昇降リンク機構のトップリンク及びロアリンクに連結した耕耘ユニットと、この耕耘ユニットから後方に突出するツールバーに平行リンク機構を介して昇降自在に連結した施肥播種ユニットから構成されている。
【０００３】
そして、耕耘ユニットは、機体側からＰＴＯ動力が入力されるギヤケース、該ギヤケースから左右に突出する筒フレーム、該筒フレームの左右両端から下方に突出するサイドフレーム、左右のサイドフレーム間に回動可能に支承した耕耘軸、及び該耕耘軸の軸方向に所定の間隔を存して設けた複数の耕耘部を備えると共に、これらの耕耘部に不耕起状態の圃場を耕耘する耕耘爪を設け、当該耕耘爪を回転駆動させることによって圃場の部分耕起を可能にしたものが知られている（例えば、特許文献１参照。）。
【特許文献１】特開２０００−１３９１０４号公報（第２−３頁、図１−図３）
【発明の開示】
【発明が解決しようとする課題】
【０００４】
しかし、上述した従来の耕耘爪は、ロータリ耕耘装置で一般的に使用されているナタ爪と略同一な形状を採用しており、当該耕耘爪で圃場を耕起すると破砕した土塊が放擲されることから、部分耕起を行う条毎に耕耘爪の左右両側及び上方を覆うカバーを設けなければならなかった。
【０００５】
そして、前記カバーは放擲された土塊の飛散を防止すると共に播種に必要な土の量を確保しなければならないので、耕耘爪に対するカバーの隙間を可能な限り最小となるように構成していたが、当該カバーの内壁に付着した土の抵抗による動力損失、カバーの変形、及び耕耘爪の早期磨耗が発生するといった不具合を有していた。
【課題を解決するための手段】
【０００６】
本発明は、上記課題を解決することを目的としたものであって、耕耘軸に放射状に取り付けられると共に、取り付け基部から連続的に形成される縦刃部と、該縦刃部の先端を一側に折り曲げ形成した横刃部を備える耕耘爪において、前記横刃部の折り曲げ開始線と、該折り曲げ開始線と耕耘爪の掻き取り面先端部との交点と耕耘軸の軸心を結ぶ線との交差角が８５度以上１００度以下となるように、当該耕耘爪を形成したことを第１の特徴としている。
【０００７】
そして、前記耕耘爪を乾田不耕起直播機に用いることを第２の特徴としている。
【発明の効果】
【０００８】
請求項１の発明によれば、取り付け基部から連続的に形成される縦刃部の先端を一側に折り曲げ形成した横刃部の折り曲げ開始線と、該折り曲げ開始線と耕耘爪の掻き取り面先端部との交点と耕耘軸の軸心を結ぶ線との交差角が８５度以上１００度以下となるように、当該耕耘爪を形成したことによって、横刃部のすくい面が圃場面に対して緩やかな角度で進入し、前記横刃部及び縦刃部で耕起破砕された土塊がすくい面の放擲作用を受けず飛散しないでその場に留まるので、土塊の飛散防止用カバーを特別に設ける必要がなくコストダウンが図れると共に耕耘爪のメンテナンス性も向上する。
【０００９】
そして、請求項２の発明によれば、前記耕耘爪を乾田不耕起直播機に用いることによって、従来のように部分耕を行う条毎に耕耘爪の左右両側及び上方を覆うカバーを設けなくてすむので、該カバーの内壁に付着した土の抵抗による動力損失、カバーの変形、耕耘爪の早期磨耗、及び播種床の形成不良等が発生するといった不具合を解消できる。また、ロータリ耕耘装置等で使用されている上方安全カバーを耕耘爪の上方カバーとして流用することができるので、装置の簡素化とコストダウンも図れる。
【発明を実施するための最良の形態】
【００１０】
次に、本発明の実施の形態を図面に基づいて説明する。図１及び図２は、本発明に係る播種装置である乾田不耕起直播機１０の側面図及び平面図であって、該乾田不耕起直播機１０は、トラクタ等の機体１１後部に昇降リンク機構１２を介して昇降可能に連結してあり、前記昇降リンク機構１２を構成するトップリンク１２ａ及びロアリンク１２ｂに着脱可能に連結した耕耘ユニット１３と、この耕耘ユニット１３から後方に突出するツールバー１４に平行リンク機構１５を介して昇降可能に連結した播種ユニット１６を備えている。
【００１１】
そして、耕耘ユニット１３は、その上部に設置した左右２個の肥料タンク１７、該肥料タンク１７内の肥料を圃場面に供給する施肥パイプ１８、及び図示しない耕深調節用の尾輪を有している。
【００１２】
また、播種ユニット１６は、種子を収容する種子タンク２１と、該種子タンク２１内の種子を播種部に向けて供給する種子パイプ２２と、種子タンク２１の後部に配置した薬剤タンク２３と、これらのタンク２１，２３の下方には播種溝形成用の溝切り刃２４、更に播種溝に覆土する覆土板２５、播種溝の上部を押圧する接地輪２６等を備えている。
【００１３】
そして、耕耘ユニット１３は、機体１１側からＰＴＯ動力が入力されるギヤケース２８と、このギヤケース２８の左右の両側には、耕耘ユニット１３の横伝動筒を兼ねる筒状アーム３１Ｌ，３１Ｒとを備え、左側筒状アーム３１Ｌの外端（左端側）には伝動ケースであるチェンケース３２、一方右側筒状アーム３１Ｒの外端（右端側）にはサイドプレート３３を固設すると共に、チェンケース３２とサイドプレート３３の間には、複数本の耕耘爪３４を放射状に螺設した耕耘軸３５を図示しないボールベアリングを介して回転可能に支承している。
【００１４】
更に詳しくは、ギヤケース２８に入力されたＰＴＯ動力が、チェーンケース３２を介して耕耘軸３５に伝動されることによって、該耕耘軸３５の軸方向に所定の播種条間（実施例では、６条）を存して放射状に螺設した耕耘爪３４が回転（正転）駆動し、不耕起状態の圃場の当該播種位置のみが部分耕起されるようになっている。
【００１５】
ここで、耕耘軸３５に放射状に取り付けられる耕耘爪３４の形状及び作用について説明する。図３は、耕耘爪３４の耕耘軸３５に対する取り付け状態と、耕耘爪３４の横刃部３４ｂの折り曲げ形状を同時に示したものであって、当該耕耘爪３４は耕耘軸３５の軸心Ｐを回転中心としてＰ１部で螺設してある。
【００１６】
そして、耕耘爪３４は、その取り付け基部から連続的に形成されると共に外周方向に湾曲した形状の縦刃部３４ａと、この縦刃部３４ａの先端を一側に折り曲げ形成した横刃部３４ｂからなり、前記横刃部３４ｂの折り曲げ開始線Ｌ１と、該折り曲げ開始線Ｌ１と耕耘爪３４の掻き取り面先端部Ｓとの交点Ｐ２と耕耘軸３５の軸心Ｐとを結ぶ線Ｌ２の交差角θ１が８５度以上１００度以下、即ち略９０度となるように形成してある。尚、折り曲げ形成した横刃部３４ｂの上面側は、土塊をすくい上げて放擲する作用面であり、この作用面をすくい面Ｃと称している。更に、前記交点Ｐ２は、回転駆動される耕耘爪３４が掻き取り（耕起）を開始する作用点でもある。
【００１７】
上述の如く形成した耕耘爪３４によれば、図４に示すように、その横刃部３４ｂのすくい面Ｃが圃場面Ｇに対して緩やかな角度で進入し、前記横刃部３４ｂ及び縦刃部３４ａで耕起破砕された土塊Ｇ１がすくい面Ｃの放擲作用を受けず飛散しないでその場に留まるので、土塊Ｇ１の飛散防止用カバーを特別に設ける必要がなくコストダウンが図れると共に耕耘爪３４のメンテナンス性も向上する。
【００１８】
更に、前記耕耘爪３４を乾田不耕起直播機１０に用いることによって、従来のように部分耕を行う条毎に耕耘爪３４の左右両側及び上方を覆うカバーを設けなくてすむので、該カバーの内壁に付着した土の抵抗による動力損失、カバーの変形、耕耘爪３４の早期磨耗、及び播種床の形成不良等が発生するといった不具合を解消できる。また、ロータリ耕耘装置等で使用されている上方安全カバー３８を耕耘爪の上方カバーとして流用することができるので、装置の簡素化とコストダウンも図れる。
【００１９】
尚、図５及び図６は、従来の乾田不耕起直播機２０の一例を示す側面図及び平面図であって、その耕耘ユニット１３に備える耕耘爪４４は、ロータリ耕耘装置で一般的に使用されているナタ爪と略同一な形状のものを採用している。そして、前記耕耘爪４４によって耕起破砕される土塊がより細かくなるように、耕耘爪４４を逆回転駆動させると共に放擲される土塊の飛散防止を兼ねる当該耕耘爪４４の左右両側及び上方を覆うカバー４５を設けているが、この構成のものでは、部分耕起しようとする圃場に雑草が繁茂している場合は、カバー４５の前側部分Ｄに雑草の巻き付きが生じやすいといった欠点を有している。
【００２０】
また、図７は、従来の耕耘爪４４の耕耘軸３５に対する取り付け状態と、耕耘爪４４の横刃部４４ｂの折り曲げ形状を同時に示したものであり、当該耕耘爪４４は耕耘軸３５の軸心Ｐを回転中心としてＰ１部で螺設されていて、その回転方向は本発明の耕耘爪３４と同じ正転方向で例示してある。
【００２１】
そして、耕耘爪４４は、その取り付け基部から連続的に形成されると共に外周方向に湾曲した形状の縦刃部４４ａと、この縦刃部４４ａの先端を一側に折り曲げ形成した横刃部４４ｂからなり、前記横刃部４４ｂの折り曲げ開始線Ｌ１と、該折り曲げ開始線Ｌ１と耕耘爪４４の掻き取り面先端部Ｓとの交点Ｐ２と耕耘軸３５の軸心Ｐとを結ぶ線Ｌ２の交差角θ１が略７０度となるように形成されている。
【００２２】
上述の如く形成されている従来の耕耘爪４４では、図８に示すように、横刃部４４ｂのすくい面Ｃが圃場面Ｇに対して急な角度で進入し、前記横刃部４４ｂ及び縦刃部４４ａで耕起破砕された土塊Ｇ１がすくい面Ｃの放擲作用を受けて大きく飛散するので、当該土塊Ｇ１の飛散を防止して播種に必要な土の量を確保すべく、耕耘爪４４に対する隙間が可能な限り最小となるようなカバー４５を設けなければならなかった。
【図面の簡単な説明】
【００２３】
【図１】本発明に係る乾田不耕起直播機の側面図。
【図２】本発明に係る乾田不耕起直播機の平面図。
【図３】本発明に係る耕耘爪の取り付け状態とその形状とを示す側面図と正面図。
【図４】本発明に係る耕耘爪の作用効果を示すモデル図。
【図５】従来の乾田不耕起直播機の側面図。
【図６】従来の乾田不耕起直播機の平面図。
【図７】従来の耕耘爪の取り付け状態とその形状とを示す側面図と正面図。
【図８】従来の耕耘爪の耕耘爪の作用効果を示すモデル図。
【符号の説明】
【００２４】
１０    乾田不耕起直播機
３４    耕耘爪
３４ａ  縦刃部
３４ｂ  横刃部
３５    耕耘軸
Ｌ１    横刃部の折り曲げ開始線
Ｌ２    横刃部の折り曲げ開始線と耕耘爪の掻き取り面先端部との交点と耕耘軸の軸心を結ぶ線
Ｓ      耕耘爪の掻き取り面先端部
Ｐ      横刃部の折り曲げ開始線と耕耘爪の掻き取り面先端部との交点
θ１    交差角（Ｌ１とＬ２の交差角）
【図１】
2006174725.tif 000003
【図２】
2006174725.tif 000004
【図３】
2006174725.tif 000005
【図４】
2006174725.tif 000006
【図５】
2006174725.tif 000007
【図６】
2006174725.tif 000008
【図７】
2006174725.tif 000009
【図８】
2006174725.tif 000010